(57)【要約】無線通信受信機は、逆拡散を施した後の雑音相関ではなくて、逆拡散を施す前のチップサンプル相関に基づいて、１つ以上の受信信号処理の工程を行うことにより、ある種の速度の速いフェーディング環境下で、動作性能を改善することができる。この場合、チップサンプル相関を雑音相関に関係付ける１つ以上のスケーリングファクタを決定することによって、ソフトスケーリングの情報を保持することができる。限定目的はでない実施例として、汎用ＲＡＫＥ受信機回路の実施形態が示される。この汎用ＲＡＫＥ受信機回路においては、逆拡散を施した後のパイロットシンボルの雑音相関ではなくて、逆拡散の前のチップサンプル相関に基づいて、合成重みを生成する。しかし、合成重みに関しては、１つ以上のスケーリングファクタの関数としてスケーリングを行う。または、それと等化な方法として、合成重みから生成された合成値のスケーリングを行う。チップ等化受信機回路においても、チップ等化フィルタの合成重みに関して、同様のスケーリングを実行することができる。さらに、チップサンプル相関を用いることにより、適切なスケーリング条件を維持したまま、速度の速いフェーディングに対しても高い感度で追尾することが可能となり、速度の速いフェーディング環境での信号対干渉比（ＳＩＲ）推定の動作性能が改善される。
2008544689.tif 000002
【特許請求の範囲】
【請求項１】
参照信号とデータ信号とを含む受信した符号分割多元接続（ＣＤＭＡ）信号を処理する方法であって、
前記受信したＣＤＭＡ信号のチップサンプルから決定されたチップサンプル相関値を前記参照信号の逆拡散値から決定された雑音相関値と関係付けるための１つ以上のスケーリングファクタを決定するステップと、
前記１つ以上のスケーリングファクタに基づいて、前記チップサンプル相関値と前記雑音相関値との間の関係付けを、前記チップサンプル相関値を利用する１つ以上の受信信号処理工程に補償するステップと
を含むことを特徴とする方法。
【請求項２】
前記１つ以上のスケーリングファクタを決定するステップは、
所与の時間区間においてチップサンプル相関値と雑音相関値とを測定するステップと、
第１スケーリングファクタによってスケーリングされた前記チップサンプル相関値と、第２スケーリングファクタによってスケーリングされたチャネル推定値との関数として前記雑音相関値を表現するステップと、
前記第１スケーリングファクタ及び前記第２スケーリングファクタのうち少なくとも一方について解くステップと
を含むことを特徴とする請求項１に記載の方法。
【請求項３】
前記第１スケーリングファクタ及び前記第２スケーリングファクタのうち少なくとも一方について解くステップは、
設定値に設定された前記第１スケーリングファクタを用いて前記第２スケーリングファクタについて解くステップを含む
ことを特徴とする請求項２に記載の方法。
【請求項４】
前記第１スケーリングファクタ及び前記第２スケーリングファクタのうち少なくとも一方について解くステップは、
測定によって得られた前記チップサンプル相関値、前記雑音相関値及びチャネル推定値とを用いて最小二乗誤差（ＬＳＥ）処理により前記第１スケーリングファクタ及び前記第２スケーリングファクタについて解くステップを含む
ことを特徴とする請求項２に記載の方法。
【請求項５】
前記チップサンプル相関値は、
前記データ信号に含まれている希望シンボルに関連した第１エネルギー成分と、
逆拡散により実質的に除去される干渉に関連した第２エネルギー成分と、
逆拡散により実質的に除去されない干渉に関連した第３エネルギー成分と
を反映していることを特徴とする請求項２に記載の方法。
【請求項６】
第１スケーリングファクタによってスケーリングされた前記チップサンプル相関値と、第２スケーリングファクタによってスケーリングされたチャネル推定値との関数として前記雑音相関値を表現する前記ステップは、
前記第１スケーリングファクタによってスケーリングされた前記チップサンプル相関値と、前記第２スケーリングファクタによってスケーリングされた前記チャネル推定値との差として前記雑音相関値を表現するステップを含み、
前記差は、前記雑音相関値と前記チップサンプル相関値とに共通のエネルギー成分を表していることを特徴とする請求項５に記載の方法。
【請求項７】
前記１つ以上の受信信号処理工程に補償するステップは、
前記データ信号の逆拡散値を合成するために使用される合成処理に前記関係付けを補償するステップを含む
ことを特徴とする請求項１に記載の方法。
【請求項８】
前記合成処理に前記関係付けを補償するステップは、
（ａ）  前記１つ以上のスケーリングファクタの関数として合成重みをスケーリングするステップと、
（ｂ）  前記１つ以上のスケーリングファクタの関数として前記データ信号の合成値をスケーリングするステップと、
（ｃ）  前記１つ以上のスケーリングファクタの関数としてデータの逆拡散値をスケーリングするステップと、
（ｄ）  前記１つ以上のスケーリングファクタの関数として前記チップサンプルをスケーリングするステップと
のうち、いずれか１つのステップを含むことを特徴とする請求項７に記載の方法。
【請求項９】
前記１つ以上の受信信号処理工程に補償するステップは、
前記受信したＣＤＭＡ信号を等化処理するために使用されるチップ等化処理に前記関係付けを補償するステップを含む
ことを特徴とする請求項１に記載の方法。
【請求項１０】
前記チップ等化処理を補償するステップは、
（ａ）  前記１つ以上のスケーリングファクタの関数として、チップ等化フィルタの合成重みをスケーリングするステップと、
（ｂ）  前記１つ以上のスケーリングファクタの関数としてのチップ等化フィルタからの出力である、前記受信したＣＤＭＡ信号のフィルタリングされた値をスケーリングするステップと、
（ｃ）  前記１つ以上のスケーリングファクタの関数として、逆拡散されたシンボル値をスケーリングするステップと、
（ｄ）  前記１つ以上のスケーリングファクタの関数として、前記チップサンプルをスケーリングするステップと
のうち、いずれか１つのステップを含む
ことを特徴とする請求項９に記載の方法。
【請求項１１】
前記１つ以上の受信信号処理工程に補償するステップは、
前記チップサンプル相関値に基づいて前記受信したＣＤＭＡ信号についての信号対干渉比（ＳＩＲ）を算出するステップを含む
ことを特徴とする請求項１に記載の方法。
【請求項１２】
参照信号とデータ信号とを含む受信した符号分割多元接続（ＣＤＭＡ）信号を処理するように構成された無線通信受信機であって、
前記受信したＣＤＭＡ信号のチップサンプルから決定されたチップサンプル相関値を前記参照信号の逆拡散値から決定された雑音相関値と関係付けるための１つ以上のスケーリングファクタを決定し、
前記１つ以上のスケーリングファクタに基づいて、前記チップサンプル相関値と前記雑音相関値との間の関係付けを、前記チップサンプル相関値を利用する１つ以上の受信信号処理工程に補償する
ように構成された１つ以上の処理回路を含むことを特徴とする無線通信受信機。
【請求項１３】
前記１つ以上の処理回路は、
１つ以上のスケーリングファクタを決定するように構成された算出回路と、
前記１つ以上のスケーリングファクタに基づいて前記１つ以上の受信信号処理工程を補償するように構成された１つ以上のスケーリング回路と
を含むことを特徴とする請求項１２に記載の無線通信受信機。
【請求項１４】
前記１つ以上の処理回路は、
所与の時間区間においてチップサンプル相関値と雑音相関値とを測定し、
第１スケーリングファクタによってスケーリングされた前記チップサンプル相関値と、第２スケーリングファクタによってスケーリングされたチャネル推定値との関数として前記雑音相関値を表現し、
前記第１スケーリングファクタ及び前記第２スケーリングファクタのうち少なくとも一方について解くように構成されている
ことを特徴とする請求項１２に記載の無線通信受信機。
【請求項１５】
前記１つ以上の処理回路は、
既知の設定値に設定された前記第１スケーリングファクタを用い、既知の値として前記第２スケーリングファクタについて解くように構成されている
ことを特徴とする請求項１４に記載の無線通信受信機。
【請求項１６】
前記１つ以上の処理回路は、
既知である前記チップサンプル相関値、前記雑音相関値及びチャネル推定値とを用い、最小二乗誤差（ＬＳＥ）処理に基づいて、前記第１スケーリングファクタ及び前記第２スケーリングファクタについて解くように構成されている
ことを特徴とする請求項１４に記載の無線通信受信機。
【請求項１７】
前記チップサンプル相関値は、
前記データ信号に含まれている希望シンボルに関連した第１エネルギー成分と、
逆拡散により実質的に除去される干渉に関連した第２エネルギー成分と、
逆拡散により実質的に除去されない干渉に関連した第３エネルギー成分と
を反映していることを特徴とする請求項１４に記載の無線通信受信機。
【請求項１８】
前記１つ以上の処理回路は、
前記第１スケーリングファクタによってスケーリングされた前記チップサンプル相関値と、前記第２スケーリングファクタによってスケーリングされた前記チャネル推定値との差として前記雑音相関値を表現するよう構成されており、
前記差は、前記雑音相関値と前記チップサンプル相関値とに共通のエネルギー成分を表していることを特徴とする請求項１７に記載の無線通信受信機。
【請求項１９】
前記１つ以上の処理回路は、
前記データ信号の逆拡散値を合成するために使用される合成処理に前記関係付けを補償することを特徴とする請求項１２に記載の無線通信受信機。
【請求項２０】
前記１つ以上の処理回路は、
（ａ）  前記１つ以上のスケーリングファクタの関数として合成重みをスケーリングするステップと、
（ｂ）  前記１つ以上のスケーリングファクタの関数として前記データ信号の合成値をスケーリングするステップと、
（ｃ）  前記１つ以上のスケーリングファクタの関数としてデータの逆拡散値をスケーリングするステップと、
（ｄ）  前記１つ以上のスケーリングファクタの関数として前記チップサンプルをスケーリングするステップと
のうち、いずれか１つにより前記合成処理を補償するように構成されている
ことを特徴とする請求項１９に記載の無線通信受信機。
【請求項２１】
前記１つ以上の処理回路は、
前記受信したＣＤＭＡ信号を等化処理するために使用されるチップ等化処理に前記関係付けを補償するように構成されていることを特徴とする請求項１２に記載の無線通信受信機。
【請求項２２】
前記１つ以上の処理回路は、
（ａ）  前記１つ以上のスケーリングファクタの関数として、チップ等価フィルタの合成重みをスケーリングするステップと、
（ｂ）  前記１つ以上のスケーリングファクタの関数としてのチップ等価フィルタからの出力である、前記受信したＣＤＭＡ信号のフィルタリングされた値をスケーリングするステップと、
（ｃ）  前記１つ以上のスケーリングファクタの関数として、逆拡散されたシンボル値をスケーリングするステップと、
（ｄ）  前記１つ以上のスケーリングファクタの関数として、前記チップサンプルをスケーリングするステップと
のうち、いずれか１つによって前記チップ等化処理を補償するように構成されていることを特徴とする請求項２１に記載の無線通信受信機。
【請求項２３】
前記１つ以上の処理回路は
前記チップサンプル相関値から算出された信号対干渉比（ＳＩＲ）をスケーリングすることによって、ＳＩＲの算出処理を補償するよう構成されていることを特徴とする請求項１２に記載の無線通信受信機。
【請求項２４】
参照信号とデータ信号とを含む受信した符号分割多元接続（ＣＤＭＡ）信号を処理するように構成された無線通信受信機用のコンピュータプログラムを記憶したコンピュータ可読記憶媒体であって、
前記受信したＣＤＭＡ信号のチップサンプルから決定されたチップサンプル相関値を前記参照信号の逆拡散値から決定された雑音相関値と関係付けるための１つ以上のスケーリングファクタを決定するためのプログラムインストラクションと、
前記１つ以上のスケーリングファクタに基づいて、前記チップサンプル相関値と前記雑音相関値との間の関係付けを、前記チップサンプル相関値を利用する１つ以上の受信信号処理工程に補償するためのプログラムインストラクションと
を含むことを特徴とするコンピュータ可読記憶媒体。
【請求項２５】
前記１つ以上の受信信号処理工程に補償するためのプログラムインストラクションは、
前記１つ以上のスケーリングファクタの関数として汎用ＲＡＫＥ（Ｇ−ＲＡＫＥ）の合成重みをスケーリングすることで、Ｇ−ＲＡＫＥ合成処理を補償するプログラムインストラクションを含み、
前記Ｇ−ＲＡＫＥの合成重みは、前記チップサンプル相関値から決定されたものであることを特徴とする請求項２４に記載のコンピュータ可読記憶媒体。
【請求項２６】
前記１つ以上の受信信号処理工程に補償するためのプログラムインストラクションは、
前記１つ以上のスケーリングファクタの関数として合成値をスケーリングすることで、汎用ＲＡＫＥ（Ｇ−ＲＡＫＥ）の合成処理を補償するプログラムインストラクションを含み、
前記合成値は、前記チップサンプル相関値から決定されたＧ−ＲＡＫＥの合成重みから生成された値であることを特徴とする請求項２４に記載のコンピュータ可読記憶媒体。
【請求項２７】
前記１つ以上の受信信号処理工程に補償するためのプログラムインストラクションは、
前記１つ以上のスケーリングファクタの関数としてチップ等化フィルタの合成重みをスケーリングすることで、チップ等化処理を補償するプログラムインストラクションを含み、
前記チップ等化フィルタの合成重みは、前記チップサンプル相関値から決定されたものであることを特徴とする請求項２４に記載のコンピュータ可読記憶媒体。
【請求項２８】
前記１つ以上のスケーリングファクタの関数としてフィルタリングされた値をスケーリングすることで、チップ等化処理を補償するプログラムインストラクションを含み、
前記フィルタリングされた値は、前記チップサンプル相関値から決定されたチップ等化フィルタの合成重みから生成された値であることを特徴とする請求項２４に記載のコンピュータ可読記憶媒体。
【請求項２９】
前記１つ以上の受信信号処理工程に補償するためのプログラムインストラクションは、
前記１つ以上のスケーリングファクタの関数である信号対干渉比（ＳＩＲ）の推定処理をスケーリングするプログラムインストラクションを含み、
前記ＳＩＲの推定処理は、チップサンプル相関値を用いてＳＩＲの推定値を算出する処理であることを特徴とする請求項２４に記載のコンピュータ可読記憶媒体。
【請求項３０】
前記１つ以上の受信信号処理工程に補償するためのプログラムインストラクションは、
前記データ信号の逆拡散値を合成するために使用される合成処理に前記関係付けを補償するプログラムインストラクションを含むことを特徴とする請求項２４に記載のコンピュータ可読記憶媒体。
【請求項３１】
前記合成処理に前記関係付けを補償するプログラムインストラクションは、
（ａ）  前記１つ以上のスケーリングファクタの関数として合成重みをスケーリングするプログラムインストラクションと、
（ｂ）  前記１つ以上のスケーリングファクタの関数として前記データ信号の合成値をスケーリングするプログラムインストラクションと、
（ｃ）  前記１つ以上のスケーリングファクタの関数としてデータの逆拡散値をスケーリングするプログラムインストラクションと、
（ｄ）  前記１つ以上のスケーリングファクタの関数として前記チップサンプルをスケーリングするプログラムインストラクションと
のうち、いずれか１つのプログラムインストラクションを含むことを特徴とする請求項３０に記載のコンピュータ可読記憶媒体。
【請求項３２】
前記１つ以上の受信信号処理工程に補償するためのプログラムインストラクションは、
前記受信したＣＤＭＡ信号を等化処理するために使用されるチップ等化処理に前記関係付けを補償するプログラムインストラクションを含むことを特徴とする請求項２４に記載のコンピュータ可読記憶媒体。
【請求項３３】
前記チップ等化処理に前記関係付けを補償するプログラムインストラクションは、
（ａ）  前記１つ以上のスケーリングファクタの関数として、チップ等価フィルタの合成重みをスケーリングするプログラムインストラクションと、
（ｂ）  前記１つ以上のスケーリングファクタの関数としてのチップ等価フィルタからの出力である、前記受信したＣＤＭＡ信号のフィルタリングされた値をスケーリングするプログラムインストラクションと、
（ｃ）  前記１つ以上のスケーリングファクタの関数として、逆拡散されたシンボル値をスケーリングするプログラムインストラクションと、
（ｄ）  前記１つ以上のスケーリングファクタの関数として、前記チップサンプルをスケーリングするプログラムインストラクションと
のうち、いずれか１つのプログラムインストラクションを含むことを特徴とする請求項３２に記載のコンピュータ可読記憶媒体。
【発明の詳細な説明】
【技術分野】
【０００１】
本発明は、一般に、通信の信号処理に関する。より詳細に、本発明は、１つ以上の受信信号処理の工程のなかでチップサンプルの相関を用いることに関する。
【背景技術】
【０００２】
ある種の無線通信受信機では、干渉を抑圧することにより受信の動作性能が改善される。例えば、「汎用」ＲＡＫＥ（Ｇ−ＲＡＫＥ）受信機は、受信した信号の逆拡散値をＲＡＫＥ合成するのに用いる重み（合成重み）の生成の過程に、雑音共分散の情報を組み入れることによって、受信した符号分割多元接続（ＣＤＭＡ）信号の中の干渉を軽減する。一方、チップ等化受信機は、Ｇ−ＲＡＫＥ受信機と構造は異なるが、フィルタ合成の重みを生成する過程に雑音共分散の情報を組み入れることによって、機能としては、同様に干渉を抑圧する。
【０００３】
ここで議論の対象としている干渉には、一般に、逆拡散した後に残った干渉と雑音の成分、すなわち、受信したＣＤＭＡ信号から得られる逆拡散値の中に現れる、直交していない干渉と雑音の成分とが含まれる。従って、従来の干渉抑圧の手法は、逆拡散を行った後の雑音相関を測定して、その逆拡散後の雑音相関の測定値を干渉抑圧に用いる手法である。例えば、従来のＧ−ＲＡＫＥ受信機では、受信したＣＤＭＡ信号を逆拡散することにより得られるパイロットシンボルから、雑音相関を推定している。そして、その後に、パイロットシンボルから推定された雑音相関に一部基づいて、データ信号の合成重みを生成する。
【発明の開示】
【発明が解決しようとする課題】
【０００４】
雑音相関を推定するこの方法では、しばしば「雑音共分散」行列を構築することによって行われるが、この手法は、所与の時間区間の中で、比較的数の少ないパイロットシンボルしか得られないことに起因する欠点を持つ。例えば、広帯域ＣＤＭＡでは、０．６６７ｍｓのスロット長での伝送を標準規格として決めており、その間には１０個のパイロットシンボルが受信されるだけである。一般に、この１０シンボルは、基本的な長さとしては不十分であり、受信機は、一般的には、そこからはよい推定値を得ることはできない。この単一スロットの推定値の複数の平均値を取ることによって、推定誤差を低減することはできる。しかし、ある受信条件、例えば、ある種の速いフェーディングの環境下で、速い速度で変化するチャネルの条件を追尾するためには、この複数スロットの平均を取るだけとすれば、ウインドウ（窓）が広すぎる。
【０００５】
上記の追尾の問題に対する１つの解決手法は、逆拡散された後のパイロットシンボルから算出される雑音相関ではなくて、受信信号のチップサンプルから算出されるチップサンプルの相関（チップサンプル相関値）を用いることに関係する。この手法は、一般には、新しいチップサンプルが、新しいパイロットシンボルの場合よりも、ずっと速い速度で得られる（この比は２５６にもなる）ので、速いフェーディングの環境下で有利である。より短い時間により多くのデータ点が得られれば、推定誤差がより小さくなる。一方では、推定の窓を狭く保つことにより、速い速度で変化する条件下での追尾が可能になる。しかしながら、逆拡散されたパイロットシンボルから推定される雑音相関の代わりに、チップサンプル相関を用いることは、データの逆拡散値の適正な合成、チップ等化のフィルタリングおよび信号対干渉比（ＳＩＲ）の算出などに一般的に必要となる柔らかなスケーリング（ソフトスケーリング）の情報を「損失する」ことになる。
【課題を解決するための手段】
【０００６】
本発明の１つの観点では、無線通信の受信機における１つ以上の受信信号処理のオペレーション（工程）で、逆拡散された後の雑音相関の代わりに、チップサンプル相関を用いる。しかし、その工程は、チップサンプル相関と雑音相関との関係付けを反映する、１つ以上のスケーリング係数（スケーリングファクタ）により補償（補正）される。雑音相関ではなくて、チップサンプル相関に基づいて、受信信号処理の工程を行う１つの利点は、チップサンプル相関の方が、無線通信における移動体の動きに関連して生ずるある種の速い速度のフェーディングを、よりよく追尾できる点である。
【０００７】
従って、無線通信受信機の１つの実施形態では、受信機は、受信した参照信号とデータ信号とを含む符号分割多元接続（ＣＤＭＡ）信号を処理するように構成されている。受信機は、チップサンプル相関に関係する１つ以上のスケーリングファクタを決定するように構成された１つ以上の処理回路を備える。これらのスケーリングファクタは、受信したＣＤＭＡ信号のチップサンプルにより決定されるチップサンプル相関値を、参照信号の逆拡散値から決定される雑音相関値に関係付けるものである。処理回路はさらに、１つ以上のスケーリングファクタに基づいて、チップサンプル相関値と雑音相関値との前記の関係付けを、チップサンプル相関値を利用する１つ以上の受信信号処理の工程に補う（補償する）ように構成されている。
【０００８】
処理回路の、少なくともある１つの実施形態では、１つ以上のスケーリングファクタを決定するように構成された算出回路と、１つ以上のスケーリングファクタに基づいて、１つ以上の受信信号処理の工程を補償するように構成された１つ以上スケーリング回路、とを備える。処理回路は、以下の方法でスケーリングファクタを決定するように構成されてもよい。すなわち、スケーリングファクタの決定は、まず、所与の時間区間で、チップサンプル相関と雑音相関を測定し、つぎに、雑音相関を、第１のスケーリングファクタによってスケーリングされたチップサンプル相関と、第２のスケーリングファクタによってスケーリングされたチャネル推定積との関数として表現し、そしてさらに、第１のスケーリングファクタおよび第２のスケーリングファクタのうち、少なくとも、１つのスケーリングファクタに対して解くこと、に基づき行われる。ここで用いる「解く」とは、最小二乗誤差（ＬＳＥ）の計算を含む。しかし、それに限定されるものではない。
【０００９】
上記で述べた１つ以上の受信信号処理の工程は、１つ以上の、汎用ＲＡＫＥ合成の工程、チップ等化の工程、および、信号対干渉比（ＳＩＲ）推定の工程を含む。しかし、これらの工程は、限定的な例ではないと理解されるべきである。例えば、ＳＩＲの推定のためにチップサンプル相関を用いるステップは、ＳＩＲの値をチップサンプル相関とチャネル推定値の関数として計算するステップと、そして、得られたＳＩＲを、少なくとも１つ以上のスケーリングファクタの関数としてスケーリングするステップ、とを備えてもよい。
【００１０】
もう一つの例として、データ信号の逆拡散値を汎用ＲＡＫＥにより合成するために、チップサンプル相関を用いるステップは、雑音相関の代わりに、チップサンプル相関に基づいて汎用ＲＡＫＥ合成の重みを生成するステップを含んでもよい。これらの合成重みは、上記で述べた１つ以上のスケーリングファクタの関数としてスケーリングを施されてもよい。その結果得られた合成重みはチップサンプル相関と雑音相関との関係を反映している。または、合成重みから生成されたＲＡＫＥ合成の合成値がスケーリングされて、チップサンプル相関と雑音相関との関係を反映した結果を得ることもできる。
【００１１】
同様に、受信したＣＤＭＡ信号のチップ等化のためにチップサンプル相関を用いるステップは、チップサンプル相関に基づいてチップ等化フィルタの合成重みを生成するステップを含んでもよい。これらの合成重みは、上記で述べた１つ以上のスケーリングファクタの関数としてスケーリングを施されてもよい。その結果得られた合成重みはチップサンプル相関と雑音相関との関係を反映している。または、合成重みから生成されたフィルタを通した(等化された)チップサンプルがスケーリングされて、チップサンプル相関と雑音相関との関係を反映した結果を得てもよい。
【００１２】
無論のことながら、本発明は、上記した特長と利点に限られるものではない。当業者は、以下で説明する詳細を読み、添付図面を見ることにより、さらなる特長と利点があることを理解するであろう。
【発明を実施するための最良の形態】
【００１３】
図１は、無線通信受信機１０の１つの実施形態を示すブロック図である。受信機１０は、１つ以上の受信信号処理の工程において、逆拡散された後の雑音相関ではなくて、チップサンプルを用い、ソフトスケーリングの情報を保持したまま信号処理の工程を補償することができるように構成されている。チップサンプル相関を用いる方法では、ソフトスケーリングの情報が失われる可能性があるが、図１における方法では、それが保持される。限定的でない例として、受信機１０は、セルラ通信の基地局受信機を備えていてもよい。他の例として、受信機は、実際には、受信機機能と送信機機能を含む可搬型の通信デバイスを備えてもよいし、意図した目的に応じて、さらなる付加的なユーザインタフェース機能を備えてもよい。
【００１４】
少なくとも１つの実施形態では、無線通信受信機１０は、移動局、または、Ｗ−ＣＤＭＡの標準規格を基本とした無線通信ネットワークの中で用いられるように構成された、その他の種類の可搬型の通信デバイスまたはハンドセットを備える。従って、無線通信受信機１０により受信されたＣＤＭＡ信号は、リファレンス（参照）信号とデータ信号を含む混成信号を含んでもよい。例えば、受信したＣＤＭＡ信号は、データに対する１つ以上のトラフィックチャネルの信号、および、チャネル推定などのための参照信号として、共通パイロットチャネル（ＣＰＩＣＨ）信号を含んでよい。
【００１５】
これらの例を念頭に置いて、無線通信受信機１０の１つの実施形態を図１に示す。図１において、無線通信受信機１０は、送信／受信アンテナアセンブリ１２、切り替え素子（および／または、デュープレクサ）１４、１つ以上の処理回路１８を含む受信機回路１６、送信機回路２０、システム制御器２２、１つ以上の入力／出力（Ｉ／Ｏ）インタフェース回路２４、マイクロフォン２６、スピーカ２８、キーボード３０、および、表示スクリーン３２、を備える。処理回路１８は上記で言及したソフトスケーリング補償を行うように構成される。処理回路１８は、ここでは便宜のために「補償回路」１８と呼ぶことにする。しかし、補償機能は幾つかの回路素子にまたがって実現されてもよく、例えば、補償回路１８が無線通信受信機１０の中の複数の機能回路に分散して組み込まれていてもよいことを理解されるべきである。さらに、当業者が理解するであろうように、受信機回路１６の幾つかまたは全部の機能が、１つの高度に集積化された処理回路の中で実現されてもよく、または、幾つかの回路の中で実現されてもよく、または、実施の詳細によって、種々の方法により補償回路１８が実現されてもよい。
【００１６】
少なくとも１つの実施形態においては、受信機回路１６は、「汎用ＲＡＫＥ」（Ｇ−ＲＡＫＥ）受信機として構成される。Ｇ−ＲＡＫＥの処理の限定的でない実施例として、アメリカ合衆国特許第６，３６３，１０４号、Ｂｏｔｔｏｍｌｅｙ、ほか、を参照できる。他の少なくとも１つの実施形態では、受信機回路１６は、チップ等化受信機として構成される。どちらの場合も、受信機回路１６は、アナログ回路とディジタル回路の組み合わせを備えてよく、少なくとも１つの実施形態ではベースバンドのディジタル信号処理回路を含む。同様に、送信機回路２０は、アナログ回路とディジタル回路の組み合わせを含んでよく、少なくとも１つの実施形態ではベースバンドのディジタル信号処理回路を含む。
【００１７】
システム制御器２２は、マイクロプロセッサ、ディジタル信号処理装置（ＤＳＰ）、フィールドプログラマブルゲートアレイ（ＦＰＧＡ）、特定用途向け集積回路（ＡＳＩＣ）、または、その他のディジタル論理回路を備えてよく、また、それぞれ、受信機回路１６と送信機回路２０のベースバンド処理回路とは別個に実施されてもよいし、または、それらの回路とともに集積されてもよい。いずれの場合も、無線通信受信機１０は、一般的に、デフォルト（初期）パラメータの記憶、情報の供給、システム制御のためのプログラムインストラクションの格納、信号処理、および、その他の目的で、１つ以上のメモリーデバイスを含むと理解されるべきである。
【００１８】
一般的に、無線通信受信機１０は、無線通信受信機１０が受信したＣＤＭＡ信号に関わる１つ以上の処理工程に、逆拡散を行った後の雑音相関ではなくて、逆拡散を行う前のチップサンプル相関を用いる。従来の受信機では、一般的には、チップサンプル相関を用いずに、その代わり、逆拡散されたパイロット信号から得られる雑音相関の測定値の長時間推定値を用いるかも知れない。しかし、そのような長時間推定は、チャネル条件の速度の速い変化を追尾する能力に欠ける。
【００１９】
それと対照的に、図示した無線通信受信機１０は、速度の速いフェーディング条件を追尾するために、チップサンプル相関を用いる。そして、逆拡散された後の（短時間の）雑音相関の測定値も用いる。すなわち、適切なソフトスケーリングを維持するために、雑音相関の「スナップショット」を用いる。従って、無線通信受信機１０は、速度の速いフェーディング条件下での追尾能力が改善されて、それにより利点を得ることができる。この利点は、逆拡散された後の雑音相関を用いることよりも、逆拡散される前のチップサンプル相関を用いることに、より多く依存している。しかしそれでも、無線通信受信機１０は、正確なシンボルの復号やＳＩＲ推定、などのために一般的に必要な、ソフトスケーリングの情報を保持している。
【００２０】
図２は、無線通信受信機１０の中で実行される信号処理ロジック（論理）の１つの実施形態を示す。これは、上記で述べた点を念頭に置いたもので、無線通信受信機１０に用いる処理回路のタイプに関しては特に限らないとした実施形態である。信号処理論理は、チップサンプル相関を用いる受信信号処理を補償するものである。所与の時間区間に受信されたＣＤＭＡ信号は、データ信号と参照信号の成分を持つ信号である。その時間区間の受信ＣＤＭＡ信号に対して処理が実行される。処理過程は、最初に、短時間の雑音相関Ｒ〜が、一組の逆拡散された参照信号値、例えば、一組の逆拡散されたパイロットシンボル値、の測定値を基本にして得られるものと仮定する。逆拡散されたデータの値は、得られたパイロットシンボル値とともに、参照信号を形成するために用いることも可能である。図示した処理過程では、さらに、一組のチップサンプル相関Ｒｄが、短時間の雑音相関を求めるために用いたのと殆ど同じ時間区間を用いて得られる、一組の受信信号のチップサンプルの測定値に基づいて得られるものと仮定する。さらに、対応するチャネル推定値ｈも得られるものと仮定する。ここでの議論で用いている「相関」は広い意味で用いていること、そして、チップサンプル相関と雑音相関は、どちらも共分散として算出されてよいと考えていることに注意を要する。例えば、Ｒ〜は、逆拡散されたパイロットシンボルを用いて測定された雑音共分散行列として表されてよい。また、Ｒｄは、受信したＣＤＭＡ信号のベースバンドのチップサンプルを用いて測定されたチップサンプル共分散行列として表されてよい。
【００２１】
図示された処理論理の実施形態についての詳しい処理の説明を続けると、無線通信受信機１０の中の１つ以上の処理回路が、１つ以上のスケーリングファクタを決定する。このスケーリングファクタは、受信したＣＤＭＡ信号のチップサンプルから得られる、逆拡散される前のチップサンプル相関Ｒｄを、受信したＣＤＭＡ信号の中に含まれる参照信号の逆拡散値から得られる、逆拡散の後の雑音相関Ｒ〜に関連づける（ステップ１００）。これまでに述べたように、雑音相関Ｒ〜は、逆拡散されたパイロットシンボルを用いて測定をした短時間の「粗い」測定値に基づいて算出されてもよい。例えば、パイロットシンボルの相互相関の測定値で、例えば、受信したＷ−ＣＤＭＡ信号の１スロットで測定したものでもよい。必要に応じて、または希望に応じて、時間区間長は、より長くてもよいし、より短くてもよい。
【００２２】
１つ以上のスケーリングファクタが決定された後に、処理過程は無線通信受信機１０の中でさらに「続行」される。次のステップでは、チップサンプル相関を利用する受信信号処理の工程を、上記で求めたスケーリングファクタの関数として補償する（ステップ１０２）。この処理論理、またはその変形は、コンピュータプログラムとして実施されてもよい。ここに、コンピュータプログラムは、無線通信受信機１０の中に含まれる、記憶デバイス、または、その他の記憶装置の中に記憶されたプログラムインストラクションを備える。
【００２３】
無線通信受信機１０の１つの実施形態は、Ｇ−ＲＡＫＥ受信機回路を含む。実施形態では、ここで説明した方法が、ハードウェアとして、または、ソフトウェアとして、またはそれらの組み合わせとして実施される。このＧ−ＲＡＫＥ受信機回路は、チップサンプル相関に基づいてＧ−ＲＡＫＥ受信機回路の合成重みを算出するように構成される。そして、さらに、合成重み、または、合成重みから生成される合成されたデータ信号サンプルを、１つ以上のスケーリングファクタに基づいて補正をするように構成されている。これらのスケーリングファクタは、逆拡散を行う前のチップサンプル相関に共通して存在する雑音成分、および／または、干渉成分と、逆拡散を行った後の雑音相関とを関係づけるものである。その関係を決定する際には、雑音相関から直接に生成したとすれば得られるであろうソフトスケーリングの値の情報と、本質的には同じ情報が、合成された値のなかに、一般的には保持される。
【００２４】
図３は、無線通信受信機１０に備えられるＧ−ＲＡＫＥの１つの実施形態を示す。ここに、無線通信受信機１０の受信機回路１６は、受信機フロントエンド４０と、Ｇ−ＲＡＫＥ回路４２とを備える。図には示されてはいないが、当業者には、Ｇ−ＲＡＫＥ回路４２は複数の相関「フィンガ」（すなわち、逆拡散回路）を含み、それらフィンガは、受信したＣＤＭＡ信号に含まれる参照信号およびトラフィック信号に対する逆拡散値を得るために、受信ＣＤＭＡ信号のチップサンプルを逆拡散することが理解されるであろう。例えば、Ｇ−ＲＡＫＥ回路４２は、受信ＣＤＭＡ信号に含まれるトラフィックチャネルの成分を逆拡散するための、複数のトラフィックチャネル逆拡散回路を含んでよい。また、受信ＣＤＭＡ信号に含まれるパイロットチャネルの成分を逆拡散する複数の逆拡散回路を含んでよい。現在の議論でさらに興味のあることは、Ｇ−ＲＡＫＥ回路４２は、補償回路１８の実施形態を含む、または補償回路１８の実施形態に関連しているということである。補償回路１８は、チップサンプル相関を用いるために、Ｇ−ＲＡＫＥ合成の工程を補償する、および／または、ＳＩＲ推定値を補償する、ように構成される。
【００２５】
さらに詳細に説明を行う。図４は、Ｇ−ＲＡＫＥ回路１６の幾つかの実施形態に従って、Ｇ−ＲＡＫＥ回路１６の一部分を示したものである。ここに、チップサンプル相関推定器４６はチップサンプル相関Ｒｄを生成する。パイロット逆拡散器４８は逆拡散されたパイロットシンボルとチャネル推定値ｈを生成する。雑音相関推定器５０は雑音相関Ｒ〜を生成する。スケーリングファクタ算出回路５２は、Ｒｄ、Ｒ〜およびｈを関係付ける、１つ以上のスケーリングファクタ（例えば、「α」と「β」）を算出する。さらに、１つ以上の処理回路５４が付加される。処理回路５４は、Ｇ−ＲＡＫＥによる合成およびＳＩＲ推定などを行うように構成され、１つ以上のスケーリング回路５６を含む。スケーリング回路５６は、チップサンプル相関を利用する、少なくとも１つの受信信号処理の工程を、スケーリングファクタの関数として補正するように構成される。
【００２６】
以上のような構成においては、図３に示した補償回路１８は、スケーリングファクタ算出回路５２と、スケーリング回路５６を備えていると考えてよい。しかし、これらの回路は、より広い意味でのＧ−ＲＡＫＥ回路４２の構成では、または、受信機回路１６全体構成では、物理的に、または、機能的に、分散配置されていてもよい。少なくとも１つの実施形態では、補償回路１８は、さらに、チップサンプル相関推定器４６と雑音相関推定器５０を含む。さらには、チャネル推定器４８を含んでもよい。他の実施形態では、これらの要素回路のうちの少なくとも１つが、補償回路１８とは別に装備されてもよい。しかし、それらのそれぞれの出力は補償回路１８に供給される構成にはなっている。
【００２７】
図５は、Ｇ−ＲＡＫＥの１つの実施形態の一部分を示したものである。ここに、スケーリングファクタ算出回路５２は、短時間雑音相関Ｒ〜、チャネル推定値ｈ、および、チップサンプル相関Ｒｄを入力として受信することに基づいて、スケーリングファクタのαとβを求める。これらの係数の算出は、次式による最小２乗誤差（ＬＳＥ）による推定の処理を用いてもよい。
【００２８】
【数１】
2008544689.tif 000003
【００２９】
スケーリングファクタβは、受信したＣＤＭＡ信号の中に含まれる参照信号とデータ信号に関する「変換」を表すスケーリングファクタであると考えてよい。ある実施形態では、スケーリングファクタβは、設計によって決まるスケーリングの関係に基づいて決められて、設定された値として無線通信受信機１０の中で記憶されていてもよい。αは「信号」のスケーリングファクタと考えてよく、βが求められれば、αを求めることが簡単になる。
【００３０】
式（１）を分かりやすく説明すれば、２つの係数αとβを求めるステップは、所与の時間区間においてチップサンプル相関（Ｒｄ）と雑音相関（Ｒ〜）とを測定するステップと、雑音相関を、第１のスケーリングファクタ（β）によりスケーリングされたチップサンプル相関と第２のスケーリングファクタ（α）によりスケーリングされたチャネル推定積（ｈｈＨ）の関数として表現するステップと、第１のスケーリングファクタおよび第２のスケーリングファクタの少なくともどちらか一方を求めるステップとを備える。ある実施形態では、第１のスケーリングファクタと第２のスケーリングファクタを求めるステップには、測定で得られたチップサンプル相関と雑音相関とチャネル推定を用いて最小２乗誤差（ＬＳＥ）の処理を実行するステップが含まれてもよい。
【００３１】
ＬＳＥの方法により得られた解を、より詳しく見ると、式（１）は基本的には、関係する行列のそれぞれの要素（ｉ，ｊ）は次式で表されると理解されるであろう。
【００３２】
【数２】
2008544689.tif 000004
【００３３】
ここに、Ｈ＝ｈｈＨである。これらの行列がＮ行Ｎ列の正方行列であるとすれば、それぞれの行列にはＮ２個の要素があって、結果として式（２）の形のＮ２本の方程式ができる。方程式を完全に等式として成立させるαとβは恐らくはないが、最小２乗誤差による処理により、全ての方程式のセットのなかで、２乗誤差の最小値を与えるスケーリングファクタを求めることができる。
【００３４】
ＬＳＥ処理に便利な行列による表現式は次式のように表してもよい。
【００３５】
【数３】
2008544689.tif 000005
【００３６】
式（３）の簡単化した表現は、次式のようにしてもよい。
【００３７】
【数４】
2008544689.tif 000006
【００３８】
ここに、
【００３９】
【数５】
2008544689.tif 000007
【００４０】
である。
【００４１】
αとβは実数である（複素数ではない）ので、Ａとｐの成分を実数で表現することにより、それぞれの複素方程式を２つの実数方程式として取り扱うのが望ましい。
【００４２】
式（５）の行の順序は重要ではない。もとの行列はエルミート対称なので、それぞれの行列で、行の殆ど半分は繰り返し（複素共役ではあるが）になっている。繰り返しの行は解に新しい情報を加えることにはならないので、ＬＳＥ処理では取り除いて考えてもよく、必要な計算の数が少なくなる。さらに、ある実施形態では、行列の対角要素だけを用いてＬＳＥ処理を行っても十分な場合がある。
【００４３】
方程式の数が減じても減じなくても、式（４）のＬＳＥ処理の解の一例は、次式で表される。
【００４４】
【数６】
2008544689.tif 000008
【００４５】
もし、βが分かっていれば、無線通信受信機１０は、ＬＳＥの問題が次式で表されるように構成することができる。
【００４６】
【数７】
2008544689.tif 000009
【００４７】
式（６）では、Ａ、ｐ、および、ｘが次式で定義される。
【００４８】
【数８】
2008544689.tif 000010
【００４９】
ここに、
【００５０】
【数８Ａ】
2008544689.tif 000011
【００５１】
である。
【００５２】
無線通信受信機１０についてのいくつかの実施形態におけるＬＳＥの解の求め方を上記で詳しく説明したが、ソフトスケーリングがさらに改善されるように、第１のスケーリングファクタと第２のスケーリングファクタを、平滑化をする、もしくは、平均値を保持するように決定できるという点に注意を要する。従って、ある実施形態では、無線通信受信機１０は、次式で示される平均スケーリングファクタ、αＡＶＧとβＡＶＧを保持するように構成される。
【００５３】
【数９】
2008544689.tif 000012
【００５４】
【数１０】
2008544689.tif 000013
【００５５】
式（９）と式（１０）において、下添え字のないスケーリングファクタは最近の計算によって得られた値を示すもので、現在行っている測定に従ってスケーリングファクタが更新されるような場合を示している。
【００５６】
平均スケーリングファクタαＡＶＧとβＡＶＧは、「合成された」雑音相関Ｒ’を求めるために用いられてもよい。そして、Ｒ’は、適切なソフトスケーリング値を取り入れた合成重みｗを生成するのに用いられてもよい。この適切なソフトスケーリング値は、Ｒ’によってもたらされたものである。雑音相関行列Ｒ’の合成は、平均スケーリングファクタαＡＶＧとβＡＶＧに基づいて、スケーリング回路（補償回路）５６によって実行されてもよい。これらの平均スケーリングファクタは、スケーリング回路５６により生成されてもよいし、算出回路５２により生成されてもよい。どちらの場合でも、Ｒ’の生成は次式で表すことができる。
【００５７】
【数１１】
2008544689.tif 000014
【００５８】
合成回路６２は、適切にスケーリングされた合成重みｗを受信し、それらを用いてデータ信号の逆拡散サンプル値から合成値を生成するように構成される。合成重みを生成するためにＲ’が用いられるので、これらの合成値は、適切に平滑化され、かつ逆拡散された後の雑音相関から生成されたとした場合に比べて、本質的には、同じ値のソフトスケーリングに関する情報を持っているであろう。
【００５９】
図６は、Ｇ−ＲＡＫＥ回路４２の、もう一つの実施形態の一部分を示す。ここに、スケーリングされていない合成重みｖは、合成重み生成器６４により、チップサンプル相関Ｒｄから生成される。スケーリングされていない合成重みｖは、次式により生成することができる。
【００６０】
【数１２】
2008544689.tif 000015
【００６１】
ここに、上式で逆行列を取ることは必ずしも絶対条件ではないことを理解されよう。また、合成重みは、ガウスザイデル（Ｇａｕｓｓ−Ｓｅｉｄｅｌ）アルゴリズムのような実際的な方法を用いて求めてもよい。
【００６２】
スケーリング回路５８は、合成回路６６のＲＡＫＥ合成の工程を補償するのに用いられる実数値であるスケーリングファクタｆの算出を行う。算出には、スケーリングファクタαとβ、または、それぞれの平均値を用いることができる。ｆは、例えば、次式により生成される。
【００６３】
【数１３】
2008544689.tif 000016
【００６４】
チャネル推定値ｈ、および／または、合成重みｖが、雑音を含んでいる可能性がある場合に、ｆを次式で算出することにより、この雑音を低減することができる。
【００６５】
【数１４】
2008544689.tif 000017
【００６６】
ここに、λは０≦λ≦１で定義される強調軽減（ディエンファサイジング）係数である。また、ｆの計算値は負にならないようにクリップまたは制限が加えられてよい。（負のｆの値はデータシンボルのソフトスケーリング値の符号を反転することになるであろう。）
合成回路６６は、スケーリングファクタαとβから上記で生成されたスケーリングファクタｆを用いて、適切なソフトスケーリングの情報を持つ合成重みｗを作りだし、そして、それらの合成重みを用いて、データ信号の逆拡散サンプルから合成値を生成する、ように構成することができる。または代替として、合成重み生成器６４が、まず、スケーリングされていない合成重みｖを用いて合成値を生成し、その後にそれらの合成値をｆの関数としてスケーリングする、というように構成されてもよい。
【００６７】
最初の場合では、スケーリングされた合成重みｗは、ｗ＝ｆ・ｖの関係式を用いて、スケーリングされていない合成重みｖから生成可能である。２番目の場合では、データ信号の合成値がｘで表されるとして、ｘの値をｘＳＣＡＬＥＤ＝ｆ・ｘによってスケーリングを行うことができる。第３の選択肢では、逆拡散値を、合成する前にスケーリングを行う。しかし、第４の選択肢もあり、第４の選択肢ではチップサンプルのスケーリングを行う。いずれの場合も、合成回路６６は、復号のような、それ以後のさらなる処理が正しく行えるように、適切にスケーリングを施された合成値を出力する。
【００６８】
無論のことながら、その他の受信信号処理の工程も、チップサンプル相関と雑音相関の関係に対して、さらに付加的に、または代替として、補償されてよいであろう。例えば、図７はＳＩＲ推定回路７０を示している。ＳＩＲ推定回路７０は、受信したＣＤＭＡ信号に対するＳＩＲの推定値を、または、受信したＣＤＭＡ信号のデータ信号成分に対するＳＩＲの推定値を、特に、チップサンプル相関Ｒｄを用いて、算出するように構成される。
【００６９】
図示された実施形態では、ＳＩＲ推定回路７０は、チャネル推定値ｈ、チップサンプル相関Ｒｄ、および、実数値のスケーリングファクタｆを、入力として受け取る。ＳＩＲ推定回路７０は、これらの入力を用いて、速度の速いフェーディングに応じたＳＩＲ推定値の算出を行うともに、かつなお、適正なソフトなスケーリング値の情報に基づく動作が可能であるように構成されている。例えば、ＳＩＲ推定回路７０によって実行されるＳＩＲ推定は次式により表現可能である。
【００７０】
【数１５】
2008544689.tif 000018
【００７１】
図８は、代替の実施形態を示している。ここで、ＳＩＲ推定回路７０は、同様に、補正されたＳＩＲの算出を行う。しかし、ＳＩＲ推定値の算出には、スケーリングされていない合成重みｖ、チャネル推定値ｈ、および、チップサンプル相関Ｒｄを用いている。
【００７２】
ＳＩＲ推定に関して、１つのタイプの例としてこれまでに示したものは、チップサンプル相関を用いることに対する受信信号処理の工程の補正であったが、無線通信受信機１０は、無線通信受信機１０の、１つ以上の受信信号処理には雑音相関を用い、また、１つ以上の他の受信信号処理には、チップサンプル相関を用いるように構成されてもよい、という点に注意を要する。例えば、Ｇ−ＲＡＫＥ処理の工程は、パイロットシンボルから得られる雑音相関に基づいて行われ、一方で、ＳＩＲ推定では、受信したＣＤＭＡ信号のベースバンドのチップサンプルから得られるチップサンプル相関に基づいて行われてもよい。または、その逆でもよい。
【００７３】
従って、チップサンプル相関を取る時間区間と、雑音相関を取る時間区間の長さは、受信信号処理の工程が異なれば、異なったものになってもよい。実際に、Ｇ−ＲＡＫＥ処理の工程には、ＳＩＲ推定の場合と比べて、異なったチャネル推定値、異なった雑音相関値、などが用いられる。ある特定の受信信号処理の工程に、チップサンプル相関を用いるべきか、それとも、より従来の、雑音相関を用いるべきかを決定する際の、考慮すべき１つの要因は、それらを用いることでその処理に利点が得られるかどうかの評価に関係している。例えば、あるタイプの無線通信ネットワークでは、ＳＩＲ推定は、速度の速いフェーディング環境を、高い感度で追尾する必要があるだろう。一方で、Ｇ−ＲＡＫＥ合成では、それら環境の変化に、より寛容であり、また、より従来の雑音相関を用いてよい動作性能が得られる場合もある。
【００７４】
いずれの場合も、ここで説明した方法は、受信信号処理のある特定の工程に対して選択的に適用されてよいと理解されるべきである。さらに、種々の構成の受信機が、Ｇ−ＲＡＫＥの実施形態のさらなる発展形として、ここで説明した方法に従って、適応的に用いられてもよいことは理解されるべきである。例えば、図９は無線通信受信機１０の１つの実施形態を示す。ここでは、受信機回路１６は、チップ等化を行う構成になっている。図には受信機回路１６の関係部分が示され、それは、チップ等化フィルタ７２、相関器７４、および、合成重み生成器７６を備え、さらに、上記で議論した補償回路１８の１つの実施形態を含んでいる。
【００７５】
図示された受信機回路１６の実施形態に従えば、合成重み生成器７６は、受信したＣＤＭＡ信号のチップサンプル相関に基づいて、チップ等化フィルタの、スケーリングされていない合成重みｖを生成する。補償回路１８は、スケーリングファクタαとβの関数として、または、αとβから導き出された実数値のスケーリングファクタｆの関数として、スケーリングされた合成重みｗを生成する。チップ等化フィルタ７２は、従って、適切にスケーリングされた合成重みを用いることになり、結果として、チップ等化フィルタ７２を通過した受信ＣＤＭＡ信号出力は適切なソフトスケーリング受けた値になる。当然のことながら、図を簡単にするために、図９には、チャネル推定器、チップサンプル相関推定器、および、雑音相関推定器、などの、幾つかの脇役的な回路は示されていないことが理解されるべきである。
【００７６】
チップ等化フィルタの合成重みをスケーリングすることの代替として、図１０は、補償回路１８の１つ以上の要素を、相関器７４の出力に配置するチップ等化器の構成を示す。従って、この実施形態では、チップ等化フィルタ７２は、受信したＣＤＭＡ信号のチップ等化のために、スケーリングされていない合成重みｖを用いる。適切なソフトスケーリングの情報は、逆拡散されたシンボル値に対して、補償回路１８によって加えられる。ソフトスケーリング値は、スケーリングファクタαとβの関数として、または、αとβとから導き出された実数値のスケーリングファクタｆの関数として表される。ここに示されていないその他の代替の方法は、チップ等化フィルタ７２の入力か出力でスケーリングを施す方法である。チップ等化フィルタ７２の前でスケーリングを施す場合は、受信機の自動利得制御（ＡＧＣ）処理による利得調整の過程の中で実施することもできるであろう。
【００７７】
従って、１つ以上のチップ等化の実施形態で、１つ以上の受信信号処理の工程を補償するステップは、受信したＣＤＭＡ信号の等化に用いるチップ等化の工程を、前記の比例した関係に対して補償するステップを備える。限定目的でない例として挙げれば、チップ等化の過程を補償するステップは、（ａ）チップ等化フィルタの合成重みを、１つ以上のスケーリングファクタの関数としてスケーリングするステップと、（ｂ）受信したＣＤＭＡ信号のチップ等化フィルタ出力を、１つ以上のスケーリングファクタの関数としてスケーリングするステップと、（ｃ）逆拡散されたシンボルを、１つ以上のスケーリングファクタの関数としてスケーリングするステップと、または、（ｄ）チップサンプルを、１つ以上のスケーリングファクタの関数としてスケーリングするステップ、とのうちの１つを備える。
【００７８】
無論のことながら、上記で説明したように、１つ以上の受信信号処理の工程を補償するステップは、データ信号の逆拡散値を合成するのに用いられる合成過程（例えば、ＲＡＫＥ合成の過程）を、前記の関係に対して補償するステップを備えてもよい。限定目的でない例として挙げれば、合成過程を補償するステップは、（ａ）合成重みを、１つ以上のスケーリングファクタの関数としてスケーリングするステップと、（ｂ）データ信号の合成値を、１つ以上のスケーリングファクタの関数としてスケーリングするステップと、（ｃ）逆拡散されたデータ値を、１つ以上のスケーリングファクタの関数としてスケーリングするステップと、または、（ｄ）チップサンプルを、１つ以上のスケーリングファクタの関数としてスケーリングするステップ、とのうちの１つを備えてもよい。
【００７９】
以上のように、上記のチップ等化とＧ−ＲＡＫＥにおける実施形態を念頭に置くことにより、当業者は、本発明が、広い範囲の受信機構成、および、広い範囲の受信信号処理の工程に適用されることを理解するであろう。スケーリングを施される個々の値や項目は、異なった構成や、異なった処理の工程によって変わってもよいが、全てのそのような変形は、ソフトスケーリングの情報を保持するために、広い意味で、チップサンプル相関と雑音相関を関係付ける１つ以上のスケーリングファクタを生成すること基づいて行われる。このように、本発明は、上記の議論に限定されることなく、また、添付の図示にも限定されるものではない。本発明は、特許請求の範囲に記された事項とその法的均等物によってのみ限定されるべきものである。
【図面の簡単な説明】
【００８０】
【図１】無線通信受信機の１つの実施形態を示すブロック図である。
【図２】図１に示す無線通信受信機において実施可能な、１つの実施形態における処理論理の流れを示すフローチャートである。
【図３】図１に示す無線通信受信機において実施可能な、汎用ＲＡＫＥ受信機回路の１つの実施形態を示すブロック図である。
【図４】図３に示すＧ−ＲＡＫＥ受信機回路において実施可能な、ソフトスケーリング補償回路の１つの実施形態を示すブロック図である。
【図５】スケーリングされたＧ−ＲＡＫＥ合成の重みを生成するための、ソフトスケーリング補償回路の１つの実施形態を示すブロック図である。
【図６】Ｇ−ＲＡＫＥ合成の過程における、スケーリングされた合成値を生成するための、ソフトスケーリング補償回路の１つの実施形態を示すブロック図である。
【図７】、
【図８】図１に示す無線通信受信機において実施可能な、ＳＩＲ推定回路の２つの実施形態を示すブロック図である。
【図９】、
【図１０】図１に示す無線通信受信機において実施可能な、チップ等化回路の２つの実施形態を示すブロック図である。
【図１】
2008544689.tif 000019
【図２】
2008544689.tif 000020
【図３】
2008544689.tif 000021
【図４】
2008544689.tif 000022
【図５】
2008544689.tif 000023
【図６】
2008544689.tif 000024
【図７】
2008544689.tif 000025
【図８】
2008544689.tif 000026
【図９】
2008544689.tif 000027
【図１０】
2008544689.tif 000028
【国際調査報告】
2008544689.tif 000029
2008544689.tif 000030
2008544689.tif 000031
2008544689.tif 000032
2008544689.tif 000033
2008544689.tif 000034
2008544689.tif 000035
2008544689.tif 000036
2008544689.tif 000037